(57)【要約】【課題】フィルタの着脱を容易に実施することができる送風装置の提供。【解決手段】吸気口と送風手段との間に装着されるフィルタ（プレフィルタ８）は、吸気口付近の通気路を構成する取っ手部８２と、フィルタ部８１とを備え、取っ手部８２の一端（吸気口側）にはリブ８２３を設け、他端（フィルタ部８１側）には凹部８２２を設ける。利用者は、プレフィルタ８のリブ８２３を指で摘んで着脱するか、又は取っ手部８２の凹部８２２に手を掛けて着脱することができ、着脱時の作業性が向上する。【選択図】図６
2014066447.tif 000002
【特許請求の範囲】
【請求項１】
吸気口と送気口とを有するハウジング、前記吸気口から前記送気口に至る通気路の中途に設けられ、前記吸気口から吸入する空気を前記送気口を通じて外部へ送り出す送風手段、及び前記吸気口と前記送風手段との間に着脱自在に装着されるフィルタを備える送風装置において、
前記フィルタは、
前記通気路における前記吸気口寄りの一部を構成する板体と、
該板体に突設され、前記吸気口から吸入した空気が通過するフィルタ部と
を備えることを特徴とする送風装置。
【請求項２】
前記フィルタ部は、前記送風手段の側へ傾斜させて前記板体に突設してあることを特徴とする請求項１に記載の送風装置。
【請求項３】
前記板体の一面に凹部を設けてあることを特徴とする請求項１又は請求項２に記載の送風装置。
【請求項４】
前記板体における前記吸気口寄りの縁部にリブを設けてあることを特徴とする請求項３の何れか１つに記載の送風装置。
【請求項５】
前記板体は、取っ手であることを特徴とする請求項３又は請求項４に記載の送風装置。
【発明の詳細な説明】
【技術分野】
【０００１】
本発明は、送風手段の上流側にフィルタを備えた送風装置に関する。
【背景技術】
【０００２】
室内の空気には、塵埃、花粉、タバコの煙、呼気等といったように、人体に不快又は有害とされる様々な物質が含まれている。特に近年では、住宅が高気密化されていることから、そのような有害物質が室内に滞り易い。そのため、旧来より部屋の窓を適宜開けて自然換気を行っていた。
【０００３】
ところが、大気汚染のひどい地域や、花粉症を患っている人が居る家庭や職場では、自然換気を思いのまま行えないのが実情である。このような状況から、室内の空気を浄化する空気浄化機能を有する空気清浄機が広く一般に普及してきている。
【０００４】
空気清浄機は、例えば、前面に浄化フィルタが取付けられ、内部には、送風機を配された通風路が形成されている。通風路は前面の開口から上部の吹出口に至る。このような空気清浄機は、送風機の回転に従い、外部の空気である室内の空気は、浄化フィルタを通じて通風路内に吸込み、吸込んだ空気を外部である室内へ吹出口より吹出す。その際、空気中に含まれる有害物質は浄化フィルタによって捕集、吸着、分解されたりして取除かれ、これにより空気が浄化される。
【０００５】
また、室内の空気をより一層快適な状態に調節する目的から、イオン発生器を搭載する空気清浄機も製品化されている。イオン発生器を搭載した空気清浄機では、プラスイオンであるＨ+ （Ｈ2 Ｏ）n （ｎは自然数）と、マイナスイオンであるＯ2- （Ｈ2 Ｏ）m （ｍは自然数）とを発生させ、吸い込んだ空気とともにイオンを吹き出すことにより、空気中を浮遊するカビ及び細菌等を不活性化するようにしている。
【０００６】
特許文献１には、別々の吸込口から吸い込んだ空気を上方向きの別々の吹出口から吹き出す２つの通風路を備えた空気清浄機が記載されている。この従来の空気清浄機は、１の通風路に加湿フィルタが配されており、空気を加湿して外部へ吹き出し、他の通風路にイオン発生器が配されており、イオンを含んだ空気を外部へ吹き出す。２つの通風路には、夫々送風機が配されてあり、２つの送風機の風量を夫々独立に制御することができるようにしてある。これにより、特許文献１記載の空気清浄機は、空気を加湿する制御と、空気を清浄化する制御とを独立して行うことができるというものである。
【０００７】
特許文献２には、１つの送風機が送風することにより１つの吸込口から通風路へ空気を吸い込み、吸い込んだ空気を浄化フィルタに通流させた後、イオン発生器が発生するイオンを含ませて、別々の吹出口から吹き出すようにしてある空気清浄機が記載されている。この空気清浄機が有する通風路の吹出口は、上方向きの天蓋部吹出口と、やや上方に傾いた前方向きへの底部吹出口とからなる。特許文献２記載の空気清浄機は、上方向きと前方向きへイオンを含んだ空気を吹き出すことにより除菌等を効果的に行うことができるというものである。
【先行技術文献】
【特許文献】
【０００８】
【特許文献１】特開２０１０−２７６２９６号公報
【特許文献２】特開２００９−１４２３５６号公報
【発明の概要】
【発明が解決しようとする課題】
【０００９】
空気清浄機などの送風装置では、一般的に、吸気口から流入する空気に含まれている粗い塵埃を捕集し除去するために、送風手段（送風機）の上流側に浄化フィルタが取り付けられる。このような浄化フィルタは、比較的編み目の細かいネット状のフィルタと当該フィルタを保持する保持枠とにより構成され、保持枠には利用者が把持するためのつまみが設けられている。送風装置の送風手段は、利用者の手に触れないようにハウジング内部の奥まった場所に設置されていることが多く、送風手段の上流側に浄化フィルタを取り付けようとした場合、ハウジングを構成するカバーを取り外して取り付けるか、又はつまみを把持して浄化フィルタを吸気口から挿入し、所定の取付部位に取り付けることが行われている。
【００１０】
このような浄化フィルタは、送風装置の性能を保つために定期的に装置から取り外して清掃することが推奨されているため、装置から着脱する機会は多い。
【００１１】
しかしながら、従来の送風装置では、ハウジングのカバーを取り外して、浄化フィルタを取り外し、清掃した後に逆の手順で浄化フィルタを取り付けて再度カバーを取り付けるか、又は吸気口から指を挿入して保持枠のつまみを探り当て、つまみを把持して取付部位から取り外し、清掃した後に逆の手順で浄化フィルタを取り付ける必要があるため、浄化フィルタの着脱が煩瑣であることは否めない。
【００１２】
本発明は、斯かる事情に鑑みてなされたものであり、フィルタの着脱を容易に実施することができる送風装置を提供することを目的とする。
【課題を解決するための手段】
【００１３】
本発明に係る送風装置は、吸気口と送気口とを有するハウジング、前記吸気口から前記送気口に至る通気路の中途に設けられ、前記吸気口から吸入する空気を前記送気口を通じて外部へ送り出す送風手段、及び前記吸気口と前記送風手段との間に着脱自在に装着されるフィルタを備える送風装置において、前記フィルタは、前記通気路における前記吸気口寄りの一部を構成する板体と、該板体に突設され、前記吸気口から吸入した空気が通過するフィルタ部とを備えることを特徴とする。
【００１４】
本発明に係る送風装置は、前記フィルタ部は、前記送風手段の側へ傾斜させて前記板体に突設してあることを特徴とする。
【００１５】
本発明に係る送風装置は、前記板体の一面に凹部を設けてあることを特徴とする。
【００１６】
本発明に係る送風装置は、前記板体における前記吸気口寄りの縁部にリブを設けてあることを特徴とする。
【００１７】
本発明に係る送風装置は、前記板体は、取っ手であることを特徴とする。
【００１８】
本発明にあっては、フィルタが送風装置の所定の装着位置に装着された場合、フィルタを構成する板体が通気路の一部を構成する。また、この板体は、装着状態において吸気口寄りに位置するので、板体を利用者の手で把持して、送風装置へ装着したり、送風装置から取り外したりするための取っ手となる。
【発明の効果】
【００１９】
本発明にあっては、フィルタが送風装置の所定の装着位置に装着された場合、フィルタを構成する板体が通気路の一部を構成し、吸気口から吸入された空気をフィルタ部へ導くことができる。また、板体は、装着状態において吸気口寄りに位置するので、板体を利用者の手で把持して、送風装置へ装着したり、送風装置から取り外したりすることができ、フィルタの着脱作業が容易となる。
【図面の簡単な説明】
【００２０】
【図１】本実施の形態に係る空気調和機を示す正面側の斜視図である。
【図２】本実施の形態に係る空気調和機を示す側断面図である。
【図３】本実施の形態に係る空気調和機を示す背面側の斜視図である。
【図４】本実施の形態に係る空気調和機を示す分解斜視図である。
【図５】プレフィルタの正面図である。
【図６】プレフィルタの斜視図である。
【図７】プレフィルタの側面図である。
【図８】プレフィルタを着脱する際の状態を示す模式図である。
【図９】実施の形態２に係るプレフィルタを着脱する際の状態を示す模式図である。
【図１０】実施の形態３に係るプレフィルタを着脱する際の状態を示す模式図である。
【発明を実施するための形態】
【００２１】
本発明に係る送風装置を空気調和機に適用した形態について図面を用いて具体的に説明する。
実施の形態１．
図１は本実施の形態に係る空気調和機を示す正面側の斜視図、図２は側断面図、図３は背面側の斜視図、図４は分解斜視図である。なお、図２において、紙面左側は空気調和機の正面側（前側）であり、紙面右側は空気調和機の背面側（後側）である。
【００２２】
空気調和機は、縦型直方体状のハウジング１を備え、壁及び床を有する室内において、ハウジング１の背面側が壁に対面する姿勢で床に設置される。本実施の形態に係る空気調和機は、設置された室内の臭気を脱臭する空気調和動作、室内の塵、ホコリ、花粉などを集塵する空気調和動作、帯電粒子である正イオン及び負イオン（以下、単にイオンという）を放出する空気調和動作、室内を加湿する空気調和動作を可能としている。
【００２３】
ハウジング１の内部には、第１通風路１０、第２通風路２０、及び制御室９０が、互いに区画されて設けられている。
【００２４】
第１通風路１０は、垂直方向の隔壁１４及び後ろ斜め方向の隔壁１５により更に区画されており、隔壁１４より後側（背面側）のフィルタ収容室１１、２つの隔壁１４，１５の間に位置する加湿室１２、及び隔壁１５より前側（前面側）の送気室１３を備える。ハウジング１の後面には、多数の吸気口１７，１７，１７，…を有する後面パネル１６が着脱可能に取り付けられる。フィルタ収容室１１は、この後面パネル１６に開設された多数の吸気口１７，１７，１７，…を介して外部に連通する。また、送気室１３は、ハウジング１の天面に開設された送気口１８を介して外部に連通する。加湿室１２は、隔壁１４及び１５の下部に設けた開口を経て、フィルタ収容室１１及び送気室１３の双方に連通するように構成されている。
【００２５】
フィルタ収容室１１には、脱臭フィルタ３１及び集塵フィルタ３２が積層配置してある。脱臭フィルタ３１は、例えば、不織布に活性炭を分散保持させてなり、通気中の臭い成分を吸着、除去する作用をなす。集塵フィルタ３２は、例えば、公知のＨＥＰＡ（High Efficiency Particulate Air ）フィルタであり、通気中に含まれる微細な塵埃を捕集、除去する作用をなす。脱臭フィルタ３１及び集塵フィルタ３２は、合成樹脂製の矩形の枠体に各別に一体化され、後面パネル１６の前側に設けたフィルタ収容室１１に嵌め込まれている。
【００２６】
送風手段としての送風ファン４は、例えば、シロッコファンであり、羽根車４０と、羽根車４０を駆動するファンモータ４１とを備えている。ファンモータ４１は、送気室１３を構成する壁面に固定されている。羽根車４０は、送気室１３内に突出するファンモータ４１の出力端に固定され、隔壁１４，１５の下部に設けた開口に対向配置してある。送風ファン４の羽根車４０は、ファンモータ４１の駆動によって回転する。羽根車４０が回転した場合、図２の白抜矢符で示すように、後面パネル１６に設けた吸気口１７，１７，１７，…を経て、フィルタ収容室１１の内部に外気が導入される。フィルタ収容室１１に導入された外気は、フィルタ収容室１１の内部を前方向に流れ、加湿室１２を経て羽根車４０に吸い込まれ、上向きに方向を変えて送気室１３の内部に導出される。そして、送気室１３を斜め後ろ方向に通流し、送気室１３末端の送気口１８を経て外部に送り出される。
【００２７】
このように、フィルタ収容室１１、加湿室１２及び送気室１３は、送風ファン４の動作に応じて前述した空気の流れが生じる第１通風路１０を構成する。脱臭フィルタ３１及び集塵フィルタ３２は、第１通風路１０の上流側に位置しており、吸気口１７，１７，１７，…を経てフィルタ収容室１１に導入される外気は、脱臭フィルタ３１の通過により臭い成分を除去され、集塵フィルタ３２の通過により塵埃を除去された清浄な空気となって、送気室１３の末端の送気口１８を経て送り出される。
【００２８】
なお、第１通風路１０の末端には、送気口１８の開口面積を調整するためのルーバ７が設けられている。このルーバ７は、空気調和機の空気調和動作に応じて送気口１８の開口面積を調整するものであり、風向については殆ど変化させないように構成されている。
【００２９】
本実施の形態に係る空気清浄機は加湿機能を有しており、第１通風路１０を流れる空気を加湿すべく、加湿室１２（すなわち、集塵フィルタ３２と送風ファン４との間）には、加湿ユニット５を設けている。
【００３０】
この加湿ユニット５は、加湿フィルタ部５０と水槽５５とにより構成される。加湿フィルタ部５０は、円環状をなす保持枠５１の内側に加湿フィルタ５２を収容保持して構成されている。加湿フィルタ５２は、不織布等、高い含水性を有すると共に通気が可能な材料製のシートであり、後側から前側に向けて流れる通気との接触面積を増加させるべく、蛇腹状に折り重ね、重ね幅の方向を通気の方向に沿わせて前記保持枠５１の内部に収容されている。
【００３１】
水槽５５は、上部が開放された皿形の容器であり、ハウジング１の底板に設けたガイド部１９に嵌め込むことにより、集塵フィルタ３２の前側の加湿室１２の内部に配され、内部に設けた２つにローラ部材（不図示）により加湿フィルタ部５０の保持枠５１を回転可能に支持するように構成されている。水槽５５は、加湿フィルタ部５０と共に、ガイド部１９に沿ってスライド移動することにより、ハウジング１の一側面から外部に引き出すことが可能である。水槽５５の引き出し側の端部には、広幅のタンク受け５６が連設してあり、タンク受け５６には、給水タンク６が着脱されるようになしてある。
【００３２】
給水タンク６は、一側の端部に給水栓を有する直方体のタンクであり、給水栓の側を下向きとした倒立姿勢にてタンク受け５６に装着される。給水栓は、公知の定水位弁を内蔵している。この定水位弁は、タンク受け５６への給水タンク６の装着時に開放されて、給水タンク６内の収容水を水槽５５に送り出し、水槽５５の内部に一定水位の水を貯留させるように作用する。
【００３３】
加湿フィルタ部５０の保持枠５１の外周に沿って従動ギア５１ａが取り付けてあり、従動ギア５１ａと、加湿フィルタ部５０の上部に配置した駆動ギア５８ａとが噛合している。加湿フィルタ部５０の上部に配置した電動モータ５８により駆動ギア５８ａを回転させると、駆動力が従動ギア５１ａに伝達され、保持枠５１及び加湿フィルタ５２が回転する。加湿フィルタ５２は、回転することによって水槽５５に浸漬した部分が順次周方向に移動して水を吸い上げ、加湿フィルタ５２の全体が水分を含んだ状態になる。その結果、加湿フィルタ５２を通過した空気は加湿される。一方、加湿フィルタ５２が回転していないときには、加湿フィルタ５２を通過した空気はほとんど吸湿しない。
【００３４】
また、送風ファン４から送気口１８に至る送気室１３には、イオン発生器３５が配設されている。イオン発生器３５は、送気室１３の壁面１３ａに固定され、針状の放電電極及び該放電電極に対向配置された誘導電極を有し、高電圧を印加された放電電極がコロナ放電を起こして正負のイオンを発生させる。イオン発生器３５の放電電極は、送気室１３に露出しており、イオン発生器３５を駆動している場合、送風ファン４から送気口１８へ向かう空気にイオンが放出され、イオンを含んだ空気が送気口１８より室内に送り出される。室内へ放出されたイオンは、菌類、ウィルス、及びアレルゲン等を死滅又は不活性化させ、悪臭の原因となる物質（例えばアセトアルデヒドのような有機化合物）を分解する。
【００３５】
なお、送気室１３における前側及び後側の壁面１３ａ，１３ｂは、前下側から後上方へ傾斜するように配してあるため、送気口１８を通じて送り出される空気は、空気調和機の背面の壁に沿って上昇し、天井に沿って壁から離れる方向へ流れる。天井に沿って流れる空気は、部屋の反対側の壁付近で下降するので、イオンを含んだ空気を空気調和機から比較的遠い場所に届かせることができる。また、部屋の反対側の壁付近で下降した空気は、床に沿って空気調和機の方句に流れ、部屋の中を循環する。
【００３６】
一方、第２通風路２０は、第１通風路１０より上側、ハウジング１の前寄りに位置し、ハウジング１の天面に連なる曲面状の隔壁２１と、ハウジング１の前カバー１ａとにより区画された領域に設けられている。前カバー１ａには、矩形状の吸気口２２が開設されており、前カバー１ａの上部とハウジングの天面との間に送気口２６が設けられている。第２通風路２０には送風ファン２４が設けられており、第２通風路２０は、送風ファン２４より下側の吸気室２０ａと、送風ファン２４より上側の送気室２０ｂとにより分割される。吸気室２０ａは吸気口２２を通じて外部と連通し、送気室２０ｂは送気口２６を通じて外部と連通している。
【００３７】
吸気室２０ａには、粗い格子状のガード部２３が設けられており、運転中の送風ファン２４に利用者の指が不用意に触れることを防止している。また、ガード部２３下端の左右方向の２ヶ所には、永久磁石が埋設されたプレフィルタ８用の取付部位２３ａ，２３ｂが設けられており、プレフィルタ８が磁力により着脱自在に装着されるように構成している。プレフィルタ８は、比較的編み目の細かいネット状のフィルタを保持枠８１１（図５を参照）により保持したフィルタ部８１と、第２通風路２０の一部を形成すると共に、着脱時の取っ手となる取っ手部８２とを備え、吸気室２０ａへ流入する空気に含まれている粗い塵埃を捕集し除去する。フィルタ部８１の背面側の下端には、取付部位２３ａ，２３ｂの夫々に対応する位置に鉄片（不図示）が取り付けられており、取付部位２３ａ，２３ｂに磁力で装着することで、フィルタ部８１がガード部２３の全体をカバーするように構成されている。
【００３８】
第２通風路２０に設けられた送風ファン２４は、ファンモータ（不図示）及びファン２４２を備える。ファンモータは、ファン２４２を左右方向の軸まわりに回転駆動する。ファンは、例えば、回転中心に対し外縁側が回転方向へ変位する複数の羽根を有する円筒形状をなす多翼羽根車を有するクロスフローファンである。ファン２４２は、回転中心の方向が空気調和機の左右方向となるように配してあり、ファンモータの出力軸に固定され、ファンモータの駆動によって回転する。ファン２４２が回転することによって、図２中の実線の矢印にて示すように、室内の空気は、吸気口２２を介して第２通風路２０へ吸入され、吸入された空気は、吸気室２０ａから送気室２０ｂへ通流し、送気口２６を通じて室内へ送り出される。
【００３９】
また、第２通風路２０には、第１通風路１０と同様に、イオン発生器２５が配設されている。イオン発生器２５は、送風ファン２４と送気口２６との間にて、隔壁２１の壁面に固定されており、針状の放電電極及び該放電電極に対向配置された誘導電極を有し、高電圧を印加された放電電極がコロナ放電を起こして正負のイオンを発生させる。イオン発生器２５を駆動している場合、送風ファン２４から送気口２６へ向かう空気にイオンが放出され、イオンを含んだ空気が送気口２６より室内に送り出される。なお、送気口２６には、電動モータにより左右方向の軸のまわりに回転駆動する風向規制板２７が設けられており、送り出す空気に含まれるイオンが室内の中央付近に到達し易いように、風向規制板２７の傾斜角度が調節される。
【００４０】
第２通風路２０から送り出す空気の方向は、第１通風路１０から送り出す空気の方向と異なっている。すなわち、第２通風路２０からは、前方へ空気を送り出すようにしているのに対し、第１通風路１０からは、後方斜め上方へ空気を送り出すようにしている。
【００４１】
図５はプレフィルタ８の正面図、図６は斜視図、図７は側面図である。プレフィルタ８は、吸気口２２から吸入した空気が通過するフィルタ部８１と、第２通風路２０における吸気口２２寄りの一部を構成する取っ手部８２とにより構成される。
【００４２】
フィルタ部８１は、保持枠８１１と、この保持枠８１１により保持される比較的編み目の細かいネット状のフィルタ８１２とを備え、取っ手部８２の縁部に突設される。保持枠８１１は、２つの矩形状の枠体８１１ａ，８１１ｄを横方向に連設したものであり、枠体８１１ａ，８１１ｄの内側には夫々フィルタ８１２が張設されている。また、枠体８１１ａ，８１１ｄの内側には、それぞれ横方向の支持部材８１１ｂ，８１１ｅ及び縦方向の支持部材８１１ｃ，８１１ｆが設けられており、フィルタ部８１の撓みや変形を防止している。
【００４３】
なお、一方の枠体８１１ａの上端には、枠体８１１ａの上端と支持部材８１１ｂとにより区画されるフィルタの目詰まりを検知するための目詰まりセンサ（不図示）が装着される。この目詰まりセンサは、例えば、発光ダイオード及び受光ダイオードからなる光学センサであり、受光ダイオードで受光した光の光量が所定レベル以下となったときに目詰まりを起こしていると判断することができる。
【００４４】
取っ手部８２は、吸気口２２から吸入した空気をフィルタ部８１へ導く導風面８２１と、フィルタ部８１との連設部位に設けた横方向に長い凹部８２２と、吸気口２２寄りの縁部に設けたリブ８２３とを備える。また、取っ手部８２の背面側には、ガード部２３における２箇所の取付部位２３ａ，２３ｂに対応する位置に鉄片（不図示）が設けられている。
【００４５】
取っ手部８２の導風面８２１は、横方向にはフィルタ部８１と同程度の幅を有し、空気流の通流方向（長さ方向）には適宜の長さを有する板体に形成されており、取付部位２３ａ，２３ｂを介して空気調和機に装着した場合、導風面８２１が第２通風路２０の一部を形成するように構成されている。本実施の形態では、導風面８２１が長さ方向に湾曲していることにより、吸気口２２からの空気がフィルタ部８１に導かれる。
【００４６】
なお、フィルタ部８１の保持枠８１１と取っ手部８２とは一体的に形成されてもよく、別部材で連設されるものであってもよい。
【００４７】
プレフィルタ８の装着状態において、取っ手部８２のリブ８２３は吸気口２２の近傍に位置する。利用者は装着されたプレフィルタ８を取り外す際、リブ８２３を指で摘んで取付部位２３ａ，２３ｂより離脱させ、そのまま吸気口２２の前方又は斜め下方向へ移動させることにより、プレフィルタ８を空気調和機から取り出すことができる。また、プレフィルタ８の導風面８２１には凹部８２２が設けられているため、利用者は装着されたプレフィルタ８を取り外す際、吸気口２２に手を挿入して凹部８２２に指を掛け、手前に引き出すことにより、プレフィルタ８を空気調和機から取り出すことができる。
【００４８】
図８はプレフィルタ８を着脱する際の状態を示す模式図である。図８（ａ）はプレフィルタ８が装着された状態を示し、図８（ｂ）〜（ｄ）はプレフィルタ８を取り外す過程を示している。なお、図８（ａ）〜（ｄ）では、プレフィルタ８を概略的に描いており、凹部８２２については図示していない。
【００４９】
第２通風路２０のガード部２３は、前方へせり出すように傾斜して設けられているため、ガード部２３の前側にプレフィルタ８を装着した場合、図８（ａ）に示すように、側面視でフィルタ部８１が斜め方向となるように装着される。この装着状態において、プレフィルタ８は、ガード部２３の取付部位２３ａ，２３ｂに埋設された磁石により装着されると共に、吸気口２２の下端からハウジング１の内部に向けて突設されるフィルタガイド２２ａによって支持されている。
【００５０】
プレフィルタ８のリブ８２３を指で摘んで手前に引き出すことにより（又は、吸気口２２に手を挿入して凹部８２２に指を掛けて手前に引き出すことにより）、図８（ｂ）に示すように、プレフィルタ８を取付部位２３ａ，２３ｂから離脱させることができる。
【００５１】
プレフィルタ８を取付部位２３ａ，２３ｂから離脱させた後に斜め下方向に引き出すことによって、図８（ｃ）及び（ｄ）に示すように、プレフィルタ８を吸気口２２から取り出すことができる。
なお、プレフィルタ８を装着する際には、前述の手順と逆の手順により取付部位２３ａ，２３ｂに取り付けることができる。
【００５２】
以上のように、本実施の形態では、プレフィルタ８を着脱するために、前カバー１ａを取り外す必要はなく、吸気口２２を大きく開設する必要もない。利用者は、プレフィルタ８のリブ８２３を指で摘んで着脱するか、又は取っ手部８２の凹部８２２に手を掛けて着脱することができるので、着脱時の作業性が向上する。
【００５３】
実施の形態２．
プレフィルタ８の装着状態及び形状は実施の形態１に示すものに限定されない。実施の形態２では、装着状態が異なる形態について説明する。
【００５４】
図９は実施の形態２に係るプレフィルタ８を着脱する際の状態を示す模式図である。図９（ａ）はプレフィルタ８が装着された状態を示し、図９（ｂ）〜（ｄ）はプレフィルタ８を取り外す過程を示している。なお、図９（ａ）〜（ｄ）では、プレフィルタ８を概略的に描いており、凹部８２２については図示していない。
【００５５】
実施の形態２においては、第２通風路２０のガード部２３は、鉛直方向に設けられている。このため、プレフィルタ８をガード部２３の前側に装着した場合、図９（ａ）に示すように、フィルタ部８１は鉛直方向となるように装着される。この装着状態において、プレフィルタ８は、ガード部２３の取付部位２３ａ，２３ｂに埋設された磁石により装着されると共に、吸気口２２の下端からハウジング１の内部に向けて突設されるフィルタガイド２２ａによって支持されている。
【００５６】
プレフィルタ８の着脱の手順は実施の形態１と同様である。プレフィルタ８のリブ８２３を指で摘んで手前に引き出すことにより（又は、吸気口２２に手を挿入して凹部８２２に指を掛けて手前に引き出すことにより）、図９（ｂ）に示すように、プレフィルタ８を取付部位２３ａ，２３ｂから離脱させることができる。
【００５７】
プレフィルタ８を取付部位２３ａ，２３ｂから離脱させた後に斜め下方向に引き出すことによって、図９（ｃ）及び（ｄ）に示すように、プレフィルタ８を吸気口２２から取り出すことができる。
なお、プレフィルタ８を装着する際には、前述の手順と逆の手順により取付部位２３ａ，２３ｂに取り付けることができる。
【００５８】
実施の形態３．
プレフィルタ８の装着状態及び形状は実施の形態１に示すものに限定されない。実施の形態３では、形状が異なるプレフィルタ８について説明する。
【００５９】
図１０は実施の形態３に係るプレフィルタ８を着脱する際の状態を示す模式図である。図１０（ａ）はプレフィルタ８が装着された状態を示し、図１０（ｂ）〜（ｄ）はプレフィルタ８を取り外す過程を示している。なお、図１０（ａ）〜（ｄ）では、プレフィルタ８を概略的に描いており、凹部８２２については図示していない。
【００６０】
実施の形態３に係るプレフィルタ８は、導風面８２１が湾曲しておらず、平面上である。この場合、取っ手部８２に対し、フィルタ部８１を送風ファン２４の側へ傾斜させて設けることにより、吸気口２２から吸入した空気をフィルタ部８１へ導くことができる。
【００６１】
実施の形態３においては、第２通風路２０のガード部２３は、鉛直方向に設けられており、プレフィルタ８をガード部２３の前側に装着した場合、図１０（ａ）に示すように、フィルタ部８１は鉛直方向となるように装着される。この装着状態において、プレフィルタ８は、ガード部２３の取付部位２３ａ，２３ｂに埋設された磁石により装着されると共に、吸気口２２の下端からハウジング１の内部に向けて突設されるフィルタガイド２２ａによって支持されている。
【００６２】
プレフィルタ８の着脱の手順は実施の形態１と同様である。プレフィルタ８のリブ８２３を指で摘んで手前に引き出すことにより（又は、吸気口２２に手を挿入して凹部８２２に指を掛けて手前に引き出すことにより）、図１０（ｂ）に示すように、プレフィルタ８を取付部位２３ａ，２３ｂから離脱させることができる。
【００６３】
プレフィルタ８を取付部位２３ａ，２３ｂから離脱させた後に斜め下方向に引き出すことによって、図１０（ｃ）及び（ｄ）に示すように、プレフィルタ８を吸気口２２から取り出すことができる。
なお、プレフィルタ８を装着する際には、前述の手順と逆の手順により取付部位２３ａ，２３ｂに取り付けることができる。
【００６４】
実施の形態１〜３では、本願発明を空気調和機（特に空気清浄機）に適用した形態について説明したが、加湿器、冷暖房機などのハウジング内に送風手段を備える任意の送風装置に適用できることは勿論のことである。
【符号の説明】
【００６５】
８  プレフィルタ
８１  フィルタ部
８２  取っ手部
８１１  保持枠
８１２  フィルタ
８２１  導風面
８２２  凹部
８２３  リブ
【図１】
2014066447.tif 000003
【図２】
2014066447.tif 000004
【図３】
2014066447.tif 000005
【図４】
2014066447.tif 000006
【図５】
2014066447.tif 000007
【図６】
2014066447.tif 000008
【図７】
2014066447.tif 000009
【図８】
2014066447.tif 000010
【図９】
2014066447.tif 000011
【図１０】
2014066447.tif 000012